(57)【特許請求の範囲】
【請求項１】
球を遊技媒体として用いる遊技機であって、
遊技機の前面を構成する前面部と、
遊技機に球を投入するための投入装置と、
遊技機に投入された球を前面部の裏面下方へ誘導するための誘導通路と、
誘導通路から排出された球を貯留するための第１球タンクと、
第１球タンクに貯留されている球を送り出すための第１送球装置と、
第１送球装置から送り出された球を誘導するための第１送球通路と、
第１送球通路から排出された球を貯留するための第２球タンクと、
第２球タンクに貯留されている球を送り出すための第２送球装置と、
第２送球装置から前面部の上端と下端との間の所定位置まで延び且つ第２送球装置から送り出された球を誘導するための第２送球通路と、
前面部の上端と下端との間の所定位置に設けられ且つ第２送球通路から排出された球を前面部の前側へ誘導するための払出口と、
払出口から排出された球を貯留し且つ貯留している球を投入装置へ供給するための受皿とを備えるとともに、
投入装置による球の投入を契機に、第１球タンクに貯留されている球を第１送球通路へ送り出すように、第１送球装置の動作を制御する第１送球制御手段と、
入賞か否かの判定を行うための入賞判定手段と、
入賞判定手段による入賞した旨の判定を契機に、第２球タンクに貯留されている球を第２送球通路へ送り出すように、第２送球装置の動作を制御する第２送球制御手段とを備えていることを特徴とする遊技機。
【発明の詳細な説明】
【技術分野】
【０００１】
本発明は、球を遊技媒体とし、遊技機内を球が循環するようにした遊技機に関し、更に詳しくは、球の循環が円滑に行われるようにした遊技機に関する。
【背景技術】
【０００２】
球を遊技媒体として用いる遊技機として、例えば、パチンコや、球を用いて遊技を行うスロットマシンであるパロットなどがある。
従来のパチンコやパロットでは、球の払い出しに、いわゆる裏セットを用いていた。そして、パチンコであれば、前枠及び遊技盤の裏面の大部分が、また、パロットであれば、透視窓の部分を除く前扉の裏面の多くの部分が、裏セットで覆われていた（特許文献１参照）。このため、従来のパチンコやパロットでは、前枠や遊技盤や前扉の裏面を広く使うことができず、これにより、前枠や遊技盤や前扉に例えば液晶ディスプレイやその制御基板等を新たに搭載しようとするときに、大きな障害となっていた。
【０００３】
ここで、前面部の裏面下部に、遊技機に投入された球を下方へ誘導するための誘導通路を設け、また、前面部の下部後方に、誘導通路の下端から排出された球を貯留するための球タンクと、球タンクに貯留されている球を送り出すための送球装置とを設け、更に、送球装置から送り出された球を上方へ誘導するための第２送球通路と、第２送球通路の上端から排出された球を前面部の前側へ誘導するための払出口とを設けると、裏セットをなくせるので、前面部の裏面を広く有効に使うことができ、更に、遊技機内で球を循環させられるので、遊技機設置島の球回収機構等の負担を軽減させることができる。
【特許文献１】特開２００３−７９８０７号公報
【発明の開示】
【発明が解決しようとする課題】
【０００４】
上述した、球が循環するようにした遊技機では、球タンクは、誘導通路から排出された球の落下地点となっている。ところで、遊技機では、多くの場合、入賞して払い出される球の数よりも、遊技のために投入する球の数の方が多い。つまり、球タンクから排出される球の数よりも、球タンクに流入する球の数の方が多い。このため、球タンク内に球が滞りやすい。そして、誘導通路から排出された球の落下地点で球が滞っていると、誘導通路に球が詰ったり、あるいは球タンクから意図しないところへ球が溢れ出てしまう可能性がある。
（請求項１）
そこで、請求項１記載の発明は、誘導通路から排出された球を貯留する第１球タンクと、第１球タンクに貯留されている球を送り出す第１送球装置と、第１送球装置から送り出された球を誘導する第１送球通路と、第１送球通路から排出された球を貯留する第２球タンクと、第２球タンクに貯留されている球を送り出す第２送球装置と、第２送球装置から送り出された球を誘導する第２送球通路と、第２送球通路から排出された球を前面部の前側へ誘導する払出口とを設け、投入装置が駆動して遊技機に球が投入されると、第１送球装置が、第１球タンクに貯留されている球を第１送球通路へ送り出し、また、入賞判定手段により入賞と判定されると、第２送球装置が、第２球タンクに貯留されている球を第２送球通路へ送り出すようにすることにより、誘導通路から排出された球の落下地点では球が滞らないようにして、誘導通路に球が詰まったり、あるいは第１球タンクから意図しないところへ球が溢れ出たりしないようにし、ひいては球の循環が円滑に行われるようにした遊技機を提供することを目的とする。
【課題を解決するための手段】
【０００５】
（請求項１）
請求項１記載の発明は、球を遊技媒体として用いる遊技機10に係るものであって、遊技機10の前面を構成する前面部30と、遊技機10に球を投入するための投入装置と、遊技機10に投入された球を前面部30の裏面下方へ誘導するための誘導通路50と、誘導通路50から排出された球を貯留するための第１球タンク110と、第１球タンク110に貯留されている球を送り出すための第１送球装置120と、第１送球装置120から送り出された球を誘導するための第１送球通路160と、第１送球通路160から排出された球を貯留するための第２球タンク170と、第２球タンク170に貯留されている球を送り出すための第２送球装置180と、第２送球装置180から前面部30の上端と下端との間の所定位置まで延び且つ第２送球装置から送り出された球を誘導するための第２送球通路220と、前面部30の上端と下端との間の所定位置に設けられ且つ第２送球通路220から排出された球を前面部30の前側へ誘導するための払出口34と、払出口34から排出された球を貯留し且つ貯留している球を投入装置へ供給するための受皿35とを備えるとともに、投入装置による球の投入を契機に、第１球タンク110に貯留されている球を第１送球通路160へ送り出すように、第１送球装置120の動作を制御する第１送球制御手段と、入賞か否かの判定を行うための入賞判定手段と、入賞判定手段による入賞した旨の判定を契機に、第２球タンク170に貯留されている球を第２送球通路220へ送り出すように、第２送球装置180の動作を制御する第２送球制御手段とを備えていることを特徴とする。
【０００６】
ここで、「球を遊技媒体として用いる遊技機10」としては、例えば、パチンコ11や、球を用いて遊技を行うスロットマシンであるパロット12などがあり、また、パチンコ11やパロット12以外にも、例えば、雀球やアレンジボールなどがある。
また、パチンコ11では、前枠31及び遊技盤40が、その前面を構成し、また、パロット12であれば、前扉32が、その前面を構成する。このため、遊技機10がパチンコ11であれば、前枠31及び遊技盤40が「前面部30」に相当し、また、遊技機10がパロット12であれば、前扉32が「前面部30」に相当する。
また、パチンコ11では、パチンコ11に投入された球は、遊技領域42を経由し、入賞口44又はアウト口48を通過し、遊技盤40の裏側へ誘導されて、入賞球通路51又はアウト球通路52によって下方へ誘導される。また、パロット12では、パロット12に投入された球は、前扉32の裏側へ誘導されて、投入球通路53によって下方へ誘導される。このため、遊技機10がパチンコ11であれば、入賞球通路51又はアウト球通路52が「誘導通路50」に相当し、また、遊技機10がパロット12であれば、投入球通路53が「誘導通路50」に相当する。
【０００７】
つまり、入賞球通路51及びアウト球通路52は、前面部30としての遊技盤40の裏面下部に設けられており、遊技を行うために遊技機10としてのパチンコ11に投入された球を下方へ誘導するためのものである。
また、投入球通路53は、前面部30としての前扉32の裏面下部に設けられており、遊技を行うために遊技機10としてのパロット12に投入された球を下方へ誘導するためのものである。
また、「投入装置」は、遊技機10に球を投入するためのものである。
遊技機10がパチンコ11であれば、発射装置39が投入装置に相当し、また、遊技機10がパロット12であれば、ベット装置75が投入装置に相当する。
【０００８】
また、「第１球タンク110」は、誘導通路50から排出された球を貯留するためのものである。また、第１球タンク110は、前面部30の下部後方に設けられ、かつ、誘導通路50の下方に位置するように設置され、そして、誘導通路50の下端から排出された球を受け止めて貯留するように形成される。すなわち、第１球タンク110は、遊技機10の下方位置に設けられており、誘導通路50から排出された球の落下地点となっている。
また、「第１送球装置120」は、第１球タンク110に貯留されている球を送り出すためのものである。
また、「第１送球通路160」は、第１送球装置120から送り出された球を誘導するためのものである。
【０００９】
また、「第２球タンク170」は、第１送球通路160から排出された球を貯留するためのものである。
また、「第２送球装置180」は、第２球タンク170に貯留されている球を送り出すためのものである。
また、「第２送球通路220」は、第２送球装置180から送り出された球を誘導するためのものである。また、第２送球通路220は、前面部30の上端と下端との間の所定位置まで延びるように形成される。
また、「払出口34」は、前面部30の上端と下端との間の所定位置に設けられ、かつ、第２送球通路220から排出された球を前面部30の前側へ誘導するためのものである。
【００１０】
すなわち、払出口34は、前面部30の上端と下端との間の所定位置に設けられ、また、第２送球通路220は、第２送球装置180から払出口34が設けられている位置まで上方へ向けて延びるように形成される。
また、「受皿35」は、払出口34から排出された球を貯留するとともに貯留している球を投入装置へ供給するためのものである。また、遊技開始時や、あるいは遊技で球を使い切ってしまったときなどには、遊技店から借りた球を、この受皿35に入れる。そして、このようにして受皿35に入れられた球も、もちろん投入装置へ供給される。
また、「第１送球制御手段」は、投入装置による球の投入を契機に、第１球タンク110に貯留されている球を第１送球通路160へ送り出すように、第１送球装置120の動作を制御するためのものである。すなわち、投入装置が駆動して遊技機10に球が投入されると、これを契機に、第１送球制御手段は、第１送球装置120を駆動させる。これにより、第１球タンク110に貯留されている球を、第１送球通路160へ送り出すようにする。
【００１１】
具体的には、遊技機10がパチンコ11であれば、発射装置39が操作されて球が発射されると、これを契機に、第１送球制御手段が、第１送球装置120を駆動させて、第１球タンク110に貯留されている球を、第１送球通路160へ送り出すようにする。また、例えば、発射装置39から発射された球が遊技領域42を経て第１球タンク110まで至るのに１０秒程度を要する場合には、第１送球制御手段は、最後に球が発射されてから１５秒を経過すると、第１送球装置120の駆動を停止させるようにすることができる。つまり、第１送球制御手段は、投入装置による最後の球の投入から所定時間が経過すると、第１送球装置120の駆動を停止させるようにすることができる。
【００１２】
また、遊技機10がパロット12であれば、ベットスイッチ70が操作されてベット装置75が駆動すると、これを契機に、第１送球制御手段が、第１送球装置120を駆動させて、第１球タンク110に貯留されている球を、第１送球通路160へ送り出すようにする。また、例えば、ベットスイッチ70を操作すると、ベット信号が出力され、このベット信号に基づいて、ベット装置75が駆動する場合には、第１送球制御手段は、ベット信号に基づいて第１送球装置120を駆動させるようにしてもよいし、また、ベット装置75の駆動を示す信号に基づいて第１送球装置120を駆動させるようにしてもよい。また、例えば、ベット装置75によって投入された球が第１球タンク110まで至るのに５秒程度を要する場合には、第１送球制御手段は、球の投入から１０秒を経過すると、第１送球装置120の駆動を停止させるようにすることができる。つまり、第１送球制御手段は、投入装置による球の投入から所定時間が経過すると、第１送球装置120の駆動を停止させるようにすることができる。
【００１３】
また、例えば、第１送球装置120から第１送球通路160への球の送り出しを検出するための第１送球検出センサー165を備えることができる。そして、第１送球制御手段は、第１送球検出センサー165が球の送り出しを検出しなくなると、第１送球装置120の駆動を停止させるようにすることができる。遊技機10がパチンコ11であってもパロット12であっても同様である。
また、例えば、第１球タンク110内の球の数を示す第１球数カウンタと、投入装置による球の投入を検出するための投入検出センサーと、投入検出センサーが球の投入を検出する毎に第１球数カウンタのカウント値を１つ加算する第１加算手段と、第１送球装置120から第１送球通路160への球の送り出しを検出するための第１送球検出センサーと、第１送球検出センサーが球の送り出しを検出する毎に第１球数カウンタのカウント値を１つ減算する第１減算手段とを備えることができる。そして、第１送球制御手段は、第１球数カウンタのカウント値が「０」になると、第１送球装置120の駆動を停止させるようにすることができる。遊技機10がパチンコ11であってもパロット12であっても同様である。
【００１４】
また、第１送球制御手段は、例えば、制御基板90や送球制御装置95などに備えることができる。
また、「入賞判定手段」は、入賞か否かの判定を行うためのものである。
具体的には、遊技機10がパチンコ11であれば、入賞口44に球が入ると入賞となることから、入賞判定手段は、入賞口44に球が入ったことを検出するためのものである。つまり、遊技機10がパチンコ11であれば、入賞口44に球が入ったことを検出するための入賞検出センサーが、入賞判定手段に相当する。
また、遊技機10がパロット12であれば、すべての回転リール61の回転が停止した際にいずれかの有効な入賞ライン上に所定の図柄配列が揃うと入賞となることから、入賞判定手段は、いずれかの有効な入賞ライン上に所定の図柄配列が揃ったか否かの判定を行うためのものである。つまり、遊技機10がパロット12であれば、いずれかの有効な入賞ライン上に所定の図柄配列が揃ったか否かの判定を行う図柄判定手段が、入賞判定手段に相当する。
【００１５】
また、「第２送球制御手段」は、入賞判定手段による入賞した旨の判定を契機に、第２球タンク170に貯留されている球を第２送球通路220へ送り出すように、第２送球装置180の動作を制御するためのものである。すなわち、入賞判定手段により入賞と判定されると、これを契機に、第２送球制御手段は、第２送球装置180を駆動させる。これにより、第２球タンク170に貯留されている球を、第２送球通路220へ送り出すようにする。
具体的には、遊技機10がパチンコ11であれば、入賞口44に球が入ったことが入賞判定手段によって検出されると、これを契機に、第２送球制御手段が、第２送球装置180を駆動させて、第２球タンク170に貯留されている球を、第２送球通路220へ送り出すようにする。また、例えば、１０個の球の払い出しがある入賞口44に球が入ったことが入賞判定手段によって検出された場合には、第２送球制御手段は、払出口34から払い出された球の個数が１０個に達すると、第２送球装置180の駆動を停止させるようにすることができる。
【００１６】
また、遊技機10がパロット12であれば、いずれかの有効な入賞ライン上に所定の図柄配列が揃い、所定の役に入賞した旨の判定が入賞判定手段によってなされると、これを契機に、第２送球制御手段が、第２送球装置180を駆動させて、第２球タンク170に貯留されている球を、第２送球通路220へ送り出すようにする。また、例えば、７５個の球の払い出しがある役に入賞した旨の判定が入賞判定手段によってなされた場合には、第２送球制御手段は、払出口34から払い出された球の個数が７５個に達すると、第２送球装置180の駆動を停止させるようにすることができる。
また、第２送球制御手段は、例えば、制御基板90や送球制御装置95などに備えることができる。
【００１７】
このように、本発明によれば、誘導通路50から排出された球は、まず第１球タンク110に貯留される。また、投入装置が駆動して遊技機10に球が投入されると、第１送球装置120が駆動して、第１球タンク110に貯留されている球を第１送球通路160へ送り出す。また、第１送球通路160から排出された球は、第２球タンク170に貯留される。また、入賞判定手段により入賞した旨の判定がなされると、第２送球装置180が駆動して、第２球タンク170に貯留されている球を第２送球通路220へ送り出す。第２送球通路220から排出された球は、払出口34から受皿35に払い出される。このため、誘導通路50から排出された球の落下地点である第１球タンク110内に球が滞らない。これにより、誘導通路50に球が詰まったり、あるいは第１球タンクから意図しないところへ球が溢れ出たりしないようにすることができ、ひいては球の循環が円滑に行われるようにすることができる。
【発明の効果】
【００１８】
（請求項１）
請求項１記載の発明によれば、誘導通路から排出された球の落下地点である第１球タンク内には球が滞らないようにすることができ、これにより、誘導通路に球が詰まったり、あるいは第１球タンクから意図しないところへ球が溢れ出たりしないようにすることができ、ひいては球の循環が円滑に行われる遊技機を提供できる。
【発明を実施するための最良の形態】
【００１９】
（第１の実施の形態）
図１ないし図７は、本発明の第１の実施の形態を示すものである。
図１は、遊技機10としてのパチンコ11の前面斜視図、図２は、前面部30としての前枠31を開いた状態を示す斜視図、図３は、ホッパーユニット100及び補給ユニット300の外観斜視図、図４は、ホッパーユニット100の分解斜視図、図５（Ａ）は、第１送球装置120、第１送球通路160、オーバーフロー口230及び第２球タンク170を示す斜視図、図５（Ｂ）及び図５（Ｃ）は、第１送球通路160、オーバーフロー口230及び第２球タンク170を示す側断面図、図６は、払出検出機構250の側断面図、図７は、補給ユニット300の分解斜視図である。
【００２０】
（遊技機10・パチンコ11）
図１に示すように、本実施の形態に係る遊技機10は、パチンコ11である。
図１及び図２に示すように、本実施の形態に係る遊技機10としてのパチンコ11は、遊技場の島に固定される裏枠20と、裏枠20にヒンジ25を介して開閉可能に取り付けられる前枠31と、前枠31の着脱可能に取り付けられる遊技盤40とを備えている。そして、前枠31及び遊技盤40が、遊技機10としてのパチンコ11の前面を構成している。つまり、本実施の形態では、前枠31及び遊技盤40が、遊技機10としてのパチンコ11の前面を構成する前面部30となっている。
【００２１】
（裏枠20）
裏枠20は、島に固定されるものである。
図１及び図２に示すように、裏枠20は、四角枠型の木枠から構成されている。
またここで、島とは、遊技機10を並べて設置するための構造物であって、パチンコ11ホールなどの遊技場に設置されるものである。
また、裏枠20は、例えば、釘で打ちつけるなどして、島に固定される。
（前枠31）
前枠31は、裏枠20にヒンジ25を介して開閉可能に取り付けられるものである。
【００２２】
本実施の形態では、前枠31の左上端付近と裏枠20の左上端付近とが、ヒンジ25を介して取り付けられているとともに、前枠31の左下端付近と裏枠20の左下端付近とが、ヒンジ25を介して取り付けられている。これにより、前枠31は、裏枠20に対して開閉可能とされている。つまり、前枠31は、ヒンジ25を中心に回動する。
また、図１に示すように、前枠31の中央には、遊技盤40が臨む窓33が大きく開口している。
また、図１に示すように、前枠31の前面における遊技盤40の下方に相当する位置には、入賞時等に球が払い出される払出口34と、払出口34から払い出された球を受け止めて貯留するための受皿35とが設けられている。また、受皿35は、前枠31の前面における払出口34の下方に相当する位置に設けられている。つまり、払出口34及び受皿35は、前面部30としての前枠31の上端と下端との間の所定位置に設けられている。
【００２３】
また、払出口34は、後述する第２送球通路220の上端から排出された球を前面部30としての前枠31の前側へ誘導するように形成されている。
また、受皿35は、前枠31の前面から前方へ向けて突出するように形成されている。
また、受皿35の底面は、右奥方向へ向かうに従って高さが次第に低くなるように滑らかに傾斜しており、また、受皿35の右奥には、球をパチンコ11内に取り込むための取込口37が設けられている。そして、受皿35に貯留されている球は、取込口37からパチンコ11内に取り込まれて、投入装置としての発射装置39に供給されるようになっている。つまり、受皿35は、払出口34から排出された球を貯留するとともに、貯留している球を投入装置としての発射装置39に供給するためのものである。
【００２４】
また、前枠31の前面における受皿35の下方に相当する位置には、受皿35に貯留しきれない球を貯留するための下皿36が設けられ、また、下皿36の右方には、発射装置39を駆動させるための操作ハンドル38が設けられている。
（遊技盤40）
図１に示すように、遊技盤40は、ほぼ四角形状に形成されているベニヤから構成されている。また、遊技盤40の前面には、円弧形状のガイドレール41が設けられ、このガイドレール41の内側が、遊技領域42とされている。また、遊技領域42の中央には、図柄表示装置43が設けられているとともに、遊技領域42における図柄表示装置43の周囲には、複数の入賞口44が設けられている。また、入賞口44としては、所定個数の球の払い出しに係る一般入賞口45や、図柄表示装置43の作動に係る始動入賞口46や、図柄表示装置43に特定の図柄の組み合わせが表示されると作動する大入賞口47などがある。また、遊技領域42の中央最下部には、入賞口44に入らなかった球を受け入れるためのアウト口48が設けられている。
【００２５】
また、入賞口44やアウト口48が設けられている位置には、遊技盤40を貫通する貫通孔124が設けられている。そして、入賞口44やアウト口48に入った球は、貫通孔124を通って、遊技盤40の裏側へ導かれるようになっている。
（投入装置・発射装置39）
図２に示すように、前枠31の裏面下部であって操作ハンドル38の裏側に相当する位置には、投入装置としての発射装置39が設けられている。そして、操作ハンドル38を時計回りに所定角度回すと、発射装置39が駆動して、球が遊技領域42へ向けて発射されるようになっている。つまり、この投入装置としての発射装置39により、パチンコ11に球が投入されるようになっている。
【００２６】
（誘導通路50・入賞球通路51・アウト球通路52）
遊技盤40の裏面には、入賞口44に入って遊技盤40の裏側へ導かれた球を下方へ誘導するための入賞球通路51と、アウト口48に入って遊技盤40の裏側へ導かれた球を下方へ誘導するためのアウト球通路52とが設けられている。また、入賞球通路51とアウト球通路52とは、途中で合流して、前枠31の裏面下部にまで達している。また、入賞球通路51の途中には、球の通過を検出するための入賞検出センサーが設けられている。また、入賞検出センサーは、入賞口44に球が入ったことを検出するためのものである。つまり、入賞検出センサーは、入賞判定手段として機能するものである。また、入賞球通路51及びアウト球通路52は、遊技盤40の裏側においては、遊技盤40の裏面に固定された集合カバーによって形成され、また、前枠31の裏側においては、前枠31の裏面下部に固定された通路形成部材によって形成されている。つまり、集合カバーは、遊技盤40の裏側に入賞球通路51とアウト球通路52とを形成する部材であり、また、通路形成部材は、前枠31の裏側に入賞球通路51とアウト球通路52とを形成する部材である。また、集合カバーは、遊技盤40の裏面にビスで固定され、また、通路形成部材は、前枠31の裏面にビスで固定されている。
【００２７】
このように、本実施の形態では、受皿35に貯留されている球は、取込口37からパチンコ11内に取り込まれ、投入装置としての発射装置39によって投入され、遊技領域42を経由して、入賞球通路51やアウト球通路52へ誘導されるようになっている。
また、本実施の形態では、入賞球通路51及びアウト球通路52は、前面部30としての前枠31及び遊技盤40の裏面下部に設けられており、遊技機10としてのパチンコ11に投入された球を下方へ誘導するものとなっている。つまり、本実施の形態では、入賞球通路51及びアウト球通路52が、前面部30の裏面下部に設けられ且つ遊技機10に投入された球を下方へ誘導するための誘導通路50となっている。
【００２８】
（制御基板90）
図２に示すように、遊技盤40の裏面には、遊技を制御するための制御基板90が固定されている。また、制御基板90としては、遊技を制御するためのメイン基板91や、メイン基板91での遊技にあわせた効果音を発生させるためのサウンド基板92や、メイン基板91での遊技にあわせた図柄を図柄表示装置43に表示させるための表示制御基板93などがある。
始動入賞口46に球が入ると、メイン基板91は、乱数を用いた抽選を行う。そして、メイン基板91は、この抽選により、図柄表示装置43にいずれの図柄の組み合わせを表示させるかを決定して、その図柄の組み合わせを図柄表示装置43に表示させるように、表示制御基板93に命令したり、また、いずれの効果音を発生させるかを決定して、その効果音を発生させるように、サウンド基板92に命令したり、また、装飾用又は演出用の発光体の点灯、消灯あるいは点滅を制御する。また、図柄表示装置43に所定の図柄の組み合わせが表示されると、メイン基板91は、大入賞口47を所定時間作動させる。
【００２９】
そして、メイン基板91、サウンド基板92、及び表示制御基板93は、集合カバーの裏面にビスで固定されている。つまり、メイン基板91、サウンド基板92、及び表示制御基板93は、集合カバーを介して、遊技盤40の裏面に間接的に固定されている。
（ホッパーユニット100）
ホッパーユニット100は、球の貯留及び払い出しを行うためのものである。
図２に示すように、ホッパーユニット100は、裏枠20の下部に設置されている。また、図２に示すように、ホッパーユニット100は、前面部30としての前枠31の下部後方に位置するようにしてある。
【００３０】
また、図２ないし図４に示すように、本実施の形態では、ホッパーユニット100は、第１球タンク110と、第１送球装置120と、第１送球通路160と、第２球タンク170と、第２送球装置180と、第２送球通路220とを備えている。
（第１球タンク110）
第１球タンク110は、誘導通路50としての入賞球通路51及びアウト球通路52の下端から排出された球を受け止めて貯留するためのものである。
また、図２に示すように、第１球タンク110は、誘導通路50としての入賞球通路51及びアウト球通路52の下方に位置するように設置されている。
【００３１】
これにより、第１球タンク110は、誘導通路50としての入賞球通路51及びアウト球通路52から排出された球の落下地点となっている。
また、図２ないし図４に示すように、第１球タンク110は、トレイ状に形成されている。また、第１球タンク110の底面は、遊技機10の前側から後側へ向かうに従って高さが次第に低くなるように滑らかに傾斜している。
（第１送球装置120）
第１送球装置120は、第１球タンク110に貯留されている球を送り出すためのものである。図３及び図４に示すように、第１送球装置120は、第１球タンク110の下部に連設されている。また、図３及び図４に示すように、本実施の形態では、第１送球装置120は、第１ベース130と、第１ベース130の上面上を回転する第１回転ディスク140と、第１回転ディスク140を回転させるための第１モータ150と、第１回転ディスク140を囲む円筒状の第１バケット155とを備えている。
【００３２】
また、図３及び図４に示すように、第１バケット155の上端には、第１球タンク110が連設されている。より具体的には、第１バケット155の上端は、第１球タンク110の底面における、高さが最も低い位置に連設されている。また、第１球タンク110の底面における、高さが最も低い位置には、第１バケット155に連通する孔が設けられている。これにより、第１球タンク110に貯留されている球は、第１バケット155を介して、第１回転ディスク140に供給されるようになっている。
また、図４及び図５（Ａ）に示すように、第１ベース130の上面には、第１回転ディスク140がすっぽり嵌り込む円形凹部と、円形凹部の縁から円形凹部の接線方向へ延びて第１ベース130の一端へ至る排出路とが設けられている。また、排出路の先端は、第１ベース130の一端に開口しており、球が排出される球出口とされている。また、円形凹部の底面には、Ｃ字形のガイド溝が設けられている。また、ガイド溝は、第１回転ディスク140の貫通孔の回転軌跡に沿うように形成されている。また、排出路の底面には、排出路の長手方向に沿って、導出溝が設けられている。また、ガイド溝と導出溝とは、滑らかに接続されている。
【００３３】
また、図４及び図５（Ａ）に示すように、第１回転ディスク140には、その上面から下面まで貫通する４個の貫通孔が、その中心から等距離の位置に、等間隔で設けられている。また、各貫通孔の内径は、それぞれ、球の直径よりもわずかに大きい。これにより、各貫通孔は、それぞれ、球を通過させることが可能とされている。また、第１回転ディスク140の下面における、各貫通孔から見て第１回転ディスク140の回転方向の後方に相当する位置には、それぞれ、ガイド溝の底方向へ向けて突出する球押圧部が設けられている。また、球押圧部は、ガイド溝にはまり込んだ球を、第１回転ディスク140の回転に伴って後方から押して、ガイド溝に沿って移動させるためのものである。
【００３４】
また、図４に示すように、第１モータ150は、駆動軸を、上方に向けて（第１回転ディスク140方向に向けて）、第１ベース130の下面に固定されている。また、第１モータ150の駆動軸には、第１シャフト151が固定されており、第１モータ150の駆動軸の回転は、第１シャフト151を介して、第１回転ディスク140に伝えられるようになっている。
また、図４に示すように、第１ベース130の上面には、円筒状の第１バケット155が固定されている。また、第１バケット155は、第１回転ディスク140を囲むようにして、第１ベース130の上面から上方へ向けて突出している。また、第１バケット155の上端には、第１球タンク110が連設されている。このようにして、第１球タンク110と第１送球装置120とが連設されている。
【００３５】
（第１送球通路160）
第１送球通路160は、第１送球装置120から送り出された球を誘導するためのものである。図３ないし図５（Ａ）に示すように、第１送球通路160の一端は、第１送球装置120の球出口に連設され、他端は、第２球タンク170に連設されている。
また、図３ないし図５（Ａ）に示すように、第１送球通路160は、第１送球装置120の球出口から水平方向へ向けて延びる第１水平部161と、第１水平部161の先端に連設されており第１送球装置120側から第２タンク170側へ向かうに従って高さが次第に高くなる上昇部162と、上昇部162の先端に連設されており上昇部162の先端から水平方向へ向けて延びる第２水平部163とを有している。
【００３６】
また、第１水平部161における球出口側の端部には、第１送球装置120から第１送球通路160への球の送り出しを検出するための第１送球検出センサー165が設けられている。この第１送球検出センサー165は、第１送球装置120から第１送球通路160への球の送り出しを検出するためのものであり、本実施の形態では、この第１送球検出センサー165によって、遊技機10に投入された球の数をカウントするとともに、この第１送球検出センサー165が球の送り出しを検出しなくなると、後述する第１送球制御手段が第１送球装置120の駆動を停止させるようにしている。
また、第２水平部163は、第２球タンク170の上端付近に沿うように形成されている。また、第２水平部163の第２球タンク170側は開放されている。これにより、第２水平部163と第２球タンク170とが連通している。また、図５（Ｂ）に示すように、第２水平部163の底部164は、第２球タンク170の上端よりも低い位置に設けられている。また、第２水平部163の底部164は、第２球タンク170側の高さが低くなるように傾斜している。これにより、図５（Ｂ）に示すように、第２球タンク170内の球の量が比較的少なく、第２球タンク170内の球が第２水平部163の底部164よりも低い位置までしか達していないときには、第２水平部163を転がる球は、第２水平部163の底部164が傾斜していることにより、第２水平部163の先端に達する前に、第２球タンク170内に落下する。
【００３７】
また、図３ないし図５（Ａ）に示すように、第２水平部163の先端付近には、オーバーフロー口230が設けられている。また、オーバーフロー口230は、第２球タンク170の上端よりも低い位置に開口している。また、オーバーフロー口230は、第２水平部163の底部164とほぼ同じ高さの位置に開口している。このオーバーフロー口230は、第２球タンク170内の球の量が一定以上になると、第２球タンク170外に球を排出するためのものである。図５（Ｃ）に示すように、第２球タンク170内の球の量が比較的多く、第２球タンク170内の球が第２水平部163の底部164よりも高い位置まで達すると、第２水平部163を転がる球は、第２球タンク170内に落下できず、第１送球装置120によって後から送り出される球に押されて、第２水平部163の先端まで達し、オーバーフロー口230に落下する。このように、第２球タンク170内の球の量が一定以上になると、第２球タンク170の上側の縁から球が溢れ出る前に、オーバーフロー口230から第２球タンク170外に球が排出されるようになっている。また、オーバーフロー口230から排出された球は、回収シュート235を通して、島に設けられている球回収機構によって回収され、また、球回収機構によって回収された球は、研磨機で磨かれ、補給用の球として、島にストックされる。
【００３８】
（第２球タンク170）
第２球タンク170は、第１送球通路160から排出された球を受け止めて貯留するためのものである。
図４に示すように、第２球タンク170は、箱型に形成されている。
また、図３及び図４に示すように、第２球タンク170は、その上部の開口部を塞ぐタンクカバー173を備えている。また、タンクカバー173には、その上面から斜め上方へ向けて突出する円筒状の球供給口174が設けられている。また、球供給口174には、上下接続シュートの下端が接続されている。また、上下接続シュート370の上端は、後述する上部送球通路360の下端に接続されている。上下接続シュート370は、上部送球通路360から排出された球を球供給口174まで誘導するためのものである。
【００３９】
また、図４に示すように、第２球タンク170には、第２球タンク170内の球の量が一定以下であることを検出するための第１球量検出センサー171と、第２球タンク170内の球の量が一定以上であることを検出するための第２球量検出センサー172とが設けられている。また、第１球量検出センサー171は、第２球タンク170の下部に設けられており、また、第２球量検出センサー172は、第２球タンク170の上部に設けられている。また、本実施の形態では、第１球量検出センサー171は、近接スイッチを用いて構成されており、また、第２球量検出センサー172は、リミットスイッチを用いて構成されている。そして、第１球量検出センサー171により、第２球タンク170内の球の量が一定以下である旨が検出されると、第１球量検出センサー171から送球制御装置95へ、供給開始信号が送信される。そうすると、後述する上部送球装置320が駆動し、上部タンク310に貯留されている球が、上部送球通路360、上下接続シュート370及び球供給口174を介して、第２球タンク170に供給される。また、第２球量検出センサー172により、第２球タンク170内の球の量が一定以上である旨が検出されると、第２球量検出センサー172から送球制御装置95へ、供給停止信号が送信される。そうすると、後述する上部送球装置320の駆動が停止し、上部タンク310に貯留されている球の第２球タンク170への供給が停止される。
【００４０】
（第２送球装置180）
第２送球装置180は、第２球タンク170に貯留されている球を送り出すためのものである。図４に示すように、第２送球装置180は、第２球タンク170の下部に連設されている。また、図４に示すように、本実施の形態では、第２送球装置180は、第２ベース190と、第２ベース190の上面上を回転する第２回転ディスク200と、第２回転ディスク200を回転させるための第２モータ210と、第２回転ディスク200を囲む円筒状の第２バケット215とを備えている。
また、図４に示すように、第２バケット215の上端には、第２球タンク170が連設されている。そして、第２球タンク170に貯留されている球は、第２バケット215を介して、第２回転ディスク200に供給されるようになっている。
【００４１】
また、図４に示すように、第２ベース190の上面には、第２回転ディスク200がすっぽり嵌り込む円形凹部と、円形凹部の縁から円形凹部の接線方向へ延びて第２ベース190の一端へ至る排出路とが設けられている。また、排出路の先端は、第２ベース190の一端に開口しており、球が排出される球出口とされている。また、円形凹部の底面には、Ｃ字形のガイド溝が設けられている。また、ガイド溝は、第２回転ディスク200の貫通孔の回転軌跡に沿うように形成されている。また、排出路の底面には、排出路の長手方向に沿って、導出溝が設けられている。また、ガイド溝と導出溝とは、滑らかに接続されている。
また、図４に示すように、第２回転ディスク200には、その上面から下面まで貫通する６個の貫通孔が、その中心から等距離の位置に、等間隔で設けられている。また、各貫通孔の内径は、それぞれ、球の直径よりもわずかに大きい。これにより、各貫通孔は、それぞれ、球を通過させることが可能とされている。また、第２回転ディスク200の下面における、各貫通孔から見て第２回転ディスク200の回転方向の後方に相当する位置には、それぞれ、ガイド溝の底方向へ向けて突出する球押圧部が設けられている。また、球押圧部は、ガイド溝にはまり込んだ球を、第２回転ディスク200の回転に伴って後方から押して、ガイド溝に沿って移動させるためのものである。
【００４２】
また、図４に示すように、第２球タンク170に隣接して、第２モータ収納部175が設けられている。第２モータ210は、駆動軸を上方に向けて、第２モータ収納部175に収納されている。また、第２モータ210の駆動軸には、第１プーリ212が固定されている。また、第２回転ディスク200の中心には、第２シャフト211が固定されている。また、第２シャフト211は、第２回転ディスク200の中心から上方へ向けて延びるように形成されている。また、第２シャフト211の上端付近には、第２プーリ213が固定されている。また、第１プーリ212の回転は、伝達ベルト214によって、第２プーリ213に伝達されるようになっている。つまり、伝達ベルト214は、第１プーリ212の回転を第２プーリ213に伝達するためのものである。これにより、第２モータ210の駆動軸の回転は、第１プーリ212、伝達ベルト214、第２プーリ213、及び第２シャフト211を介して、第２回転ディスク200に伝えられるようになっている。
【００４３】
また、図４に示すように、第２ベース190の上面には、円筒状の第２バケット215が固定されている。また、第２バケット215は、第２回転ディスク200を囲むようにして、第２ベース190の上面から上方へ向けて突出している。また、第２バケット215の上端には、第２球タンク170が連設されている。このようにして、第２球タンク170と第２送球装置180とが連設されている。
（第２送球通路220）
図２ないし図４に示すように、第２送球通路220は、第２送球装置180から前面部30としての前枠31の上端と下端との間の所定位置まで延び、かつ、第２送球装置180から送り出された球を誘導するためのものである。
【００４４】
本実施の形態では、第２ベース190の球出口に、第２送球通路220の下端が接続されている。また、第２送球通路220は、パイプ等を用いて構成されている。また、第２送球通路220の内径は、球の直径よりもわずかに大きく形成されている。また、第２送球通路220の上端は、払出口34の裏側に位置している。
（払出検出機構250）
図２ないし図４に示すように、第２送球通路220の上端には、球の払い出しを検出するための払出検出機構250が設けられている。また、図６に示すように、払出検出機構250は、四角箱型のケース251を備えている。また、ケース251の内部には、逆Ｌ字形に屈曲した球通路252が形成されている。また、球通路252は、鉛直方向の鉛直部253と、鉛直部253の上端から水平よりやや斜め下方向へ向かって傾斜する傾斜部254とから構成されている。また、図６に示すように、ケース251の内部であって、球通路252の傾斜部254とは反対側には、下端をケース251に軸支されている縦長棒状のアーム255が備えられている。また、図６に示すように、アーム255の上下の中間よりもやや上寄りの位置には、球通路252の鉛直部253の方向を向くようにして、ローラー256が軸支されている。また、図６に示すように、ローラー256は、球通路252の鉛直部253の上端付近に位置するようになっている。また、アーム255の上端付近には、アーム255の上端を球通路252の傾斜部254方向へ付勢するスプリング257が取り付けられている。また、球通路252の傾斜部254の途中には、球の通過を検出するための払出検出センサー258が設けられている。
【００４５】
（補給ユニット300）
補給ユニット300は、球の補給を行うためのものである。
図２に示すように、補給ユニット300は、裏枠20の上部に設置されている。また、図２に示すように、補給ユニット300は、前面部30としての前枠31の上部後方に位置するようにしてある。
また、図２、図３及び図７に示すように、本実施の形態では、補給ユニット300は、上部タンク310と、上部送球装置320と、上部送球通路360とを備えている。
（上部タンク310）
上部タンク310は、補給用の球を貯留するためのものである。
【００４６】
図２に示すように、上部タンク310は、裏枠20の上部に固定されている。また、図２、図３及び図７に示すように、上部タンク310は、上部が開放された箱型に形成されている。また、上部タンク310の底面は、遊技機10の左側から右側へ向かうに従って高さが次第に低くなるように滑らかに傾斜している。
また、図３及び図７に示すように、上部タンク310の底面には、上部タンク310内の球の量を検出するための上部球量検出センサー311が設けられている。また、本実施の形態では、上部球量検出センサー311は、リミットスイッチを用いて構成されている。また、図７に示すように、上部タンク310の底面には、球量検出用プレート312が備えられている。また、球量検出用プレート312は、長方形の板状に形成されており、上部タンク310の底面とほぼ平行に配置されている。また、上部タンク310の底面には、遊技機10の前後方向に延びる回動軸が設けられており、球量検出用プレート312は、その一辺を、回動軸によって回動自在に軸支されている。そして、上部タンク310内の球の量が一定以上になり、球量検出用プレート312の上に比較的多くの球が載った状態になると、球量検出用プレート312が回動軸を中心に回動するようにして下方へ押し込まれる。そうすると、上部球量検出センサー311を構成するリミットスイッチが押されて、島の球補給機構へ、補給停止信号が送信される。そうすると、球補給機構は、上部タンク310への球の供給を停止する。一方、上部タンク310内の球の量が一定以下になり、球量検出用プレート312の上の球が比較的少なくなると、あるいは球量検出用プレート312の上の球がなくなると、球量検出用プレート312が回動軸を中心に回動するようにして上方へ押し上げられる。そうすると、上部球量検出センサー311を構成するリミットスイッチの押された状態が解除されて、島の球補給機構へ、補給開始信号が送信される。そうすると、球補給機構は、図示しない補給シュートを通して、上部タンク310への球の供給を開始する。
【００４７】
（上部送球装置320）
上部送球装置320は、上部タンク310に貯留されている球を送り出すためのものである。図２、図３及び図７に示すように、上部送球装置320は、上部タンク310の下部に連設されている。また、上部送球装置320は、上部ベース330と、上部ベース330の上面上を回転する上部回転ディスク340と、上部回転ディスク340を回転させるための上部モータ350と、上部回転ディスク340を囲む円筒状の上部バケット355とを備えている。
また、図２、図３及び図７に示すように、上部バケット355の上端には、上部タンク310が連設されている。より具体的には、上部バケット355の上端は、上部タンク310の底面における、高さが最も低い位置に連設されている。また、上部タンク310の底面における、高さが最も低い位置には、上部バケット355に連通する孔が設けられている。これにより、上部タンク310に貯留されている球は、上部バケット355を介して、上部回転ディスク340に供給されるようになっている。
【００４８】
また、上部ベース330の構造は、第１ベース130と同様である。
また、上部回転ディスク340の構造は、第１回転ディスク140と同様である。
また、図７に示すように、上部モータ350は、駆動軸を、上方に向けて（上部回転ディスク340方向に向けて）、上部ベース330の下面に固定されている。また、上部モータ350の駆動軸には、上部シャフト351が固定されており、上部モータ350の駆動軸の回転は、上部シャフト351を介して、上部回転ディスク340に伝えられるようになっている。
（上部送球通路360）
上部送球通路360は、上部送球装置320から送り出された球を誘導するためのものである。図３及び図７に示すように、上部送球通路360の一端は、上部送球装置320の球出口に連設され、他端は、下方へ向けて延びている。また、上部送球通路360の下端には、上下接続シュート370が接続されている。また、上下接続シュート370の下端は、第２球タンク170の球供給口174に接続されている。
【００４９】
（送球制御装置95）
送球制御装置95は、第１送球装置120、第２送球装置180及び上部送球装置320の動作を制御するためのものである。
図２に示すように、本実施の形態では、送球制御装置95は、遊技盤40の裏面の所定位置に固定されている。
また、本実施の形態では、送球制御装置95は、ＣＰＵ、ＲＡＭ、ＲＯＭ、及びＩ／Ｏなどを備えたマイクロコンピュータを用いて構成されている。
また、本実施の形態では、送球制御装置95は、第１送球制御手段、第２送球制御手段、及び上部送球制御手段などを備えている。ＣＰＵがＲＯＭに記憶された所定のプログラムを実行することにより、送球制御装置95を構成するマイクロコンピュータが、第１送球制御手段、第２送球制御手段、及び上部送球制御手段などとして機能するのである。
【００５０】
（第１送球制御手段）
第１送球制御手段は、第１送球装置120の動作を制御するためのものである。
また、第１送球制御手段は、投入装置としての発射装置39による球の投入を契機に、第１球タンク110に貯留されている球を第１送球通路160へ送り出すように、第１送球装置120の動作を制御する。すなわち、投入装置としての発射装置39が駆動して遊技機10に球が投入されると、これを契機に、第１送球制御手段は、第１送球装置120を駆動させて、第１球タンク110に貯留されている球を、第１送球通路160へ送り出す。
また、本実施の形態では、第１送球通路160の第１送球装置120側の端部に、第１送球装置120から第１送球通路160への球の送り出しを検出するための第１送球検出センサー165が設けられている。そして、この第１送球検出センサー165が球の送り出しを検出しなくなると、第１送球制御手段が、第１送球装置120の駆動を停止させる。
【００５１】
（第２送球制御手段）
第２送球制御手段は、第２送球装置180の動作を制御するためのものである。
また、第２送球制御手段は、入賞判定手段による入賞した旨の判定を契機に、第２球タンク170に貯留されている球を第２送球通路220へ送り出すように、第２送球装置180の動作を制御する。具体的には、本実施の形態では、入賞口44に球が入ったことを入賞判定手段としての入賞検出センサーが検出すると、これを契機に、第２送球制御手段は、第２送球装置180を駆動させて、第２球タンク170に貯留されている球を、第２送球通路220へ送り出す。
【００５２】
また、本実施の形態では、第２送球制御手段は、払い出すべき球の個数をカウントするための払出個数カウンタと、入賞検出センサーからの入賞検出信号に基づいて払出個数カウンタに所定数を加算するための払出個数加算手段と、払出検出センサー198からの払出検出信号に基づいて払出個数カウンタから１を減算するための払出個数減算手段と、払出個数カウンタが１以上のときには第２モータ210を回転させ払出個数カウンタが０のときには第２モータ210を停止させるモータ制御手段とを備えている。
また、払出個数加算手段は、入賞検出センサーからの入賞検出信号が送球制御装置95へ送信される毎に、払出個数カウンタに、所定数、例えば「１５」を加算する。
【００５３】
例えば、払出個数カウンタが「０」のときに、入賞検出センサーからの入賞検出信号があると、払出個数加算手段が払出個数カウンタに「１５」を加算することから、その後には、払出個数カウンタは「１５」になる。
また、払出個数減算手段は、払出検出センサー198からの払出検出信号が送球制御装置95へ送信される毎に、払出個数カウンタから「１」を減算する。
また、モータ制御手段は、払出個数カウンタが１以上のときには、第２モータ210を回転させ、払出個数カウンタが０のときには、第２モータ210を停止させる。
このようにして、本実施の形態では、例えば、１５個の球の払い出しがある入賞口44に球が入ると、第２送球制御手段は、第２送球装置180を駆動させて、払出口34からの球の払い出しを開始するとともに、払出口34から払い出された球の個数が１５個に達したところで、第２送球装置180の駆動を停止させる。
【００５４】
なお、パチンコ11では、払出個数カウンタが「０」になる前でも、つまり、球が払い出されている途中でも、入賞口44に球が入り得る。例えば、払出個数カウンタが「５」のときに、入賞検出センサーからの入賞検出信号があると、払出個数加算手段が払出個数カウンタに「１５」を加算することから、その後には、払出個数カウンタは「２０」になる。
（上部送球制御手段）
上部送球制御手段は、上部送球装置120の動作を制御するためのものである。
上述したように、第２球タンク170には、第２球タンク170内の球の量が一定以下であることを検出するための第１球量検出センサー171と、第２球タンク170内の球の量が一定以上であることを検出するための第２球量検出センサー172とが設けられている。そして、第１球量検出センサー171により、第２球タンク170内の球の量が一定以下である旨が検出されると、第１球量検出センサー171から送球制御装置95へ、供給開始信号が送信される。そうすると、上部送球制御手段が、上部送球装置320を駆動させて、上部タンク310に貯留されている球を、上部送球通路360、上下接続シュート370及び球供給口174を介して、第２球タンク170へ供給する。また、第２球量検出センサー172により、第２球タンク170内の球の量が一定以上である旨が検出されると、第２球量検出センサー172から送球制御装置95へ、供給停止信号が送信される。そうすると、上部送球制御手段が、上部送球装置320の駆動を停止させて、上部タンク310に貯留されている球の第２球タンク170への供給を停止させる。
【００５５】
（第１送球装置120、第２送球装置180及び上部送球装置320の動作）
ここで、第１送球装置120の動作について説明する。第１球タンク110の内部に貯留されている球は、第１バケット155を介して、第１回転ディスク140に供給される。また、第１回転ディスク140に供給された球は、貫通孔を通過して、ガイド溝にはまり込む。また、ガイド溝にはまり込んだ球は、第１回転ディスク140が回転すると、球押圧部に押されて、ガイド溝に沿って移動し、ガイド溝の先端まで達すると、ガイド溝から離脱して、導出溝に沿って移動する。また、ガイド溝にはまり込んだ球がガイド溝から離脱して導出溝へ送り出されると、貫通孔内に収納されていた球が支えを失って下方へ落ち、ガイド溝にはまり込む。そして、このようにしてガイド溝にはまり込んだ球も、第１回転ディスク140が回転すると、上述したように、ガイド溝から離脱して導出溝へ送り出される。第１回転ディスク140が回転し続けると、このような動作が繰り返されて、ガイド溝から導出溝へ次々と球が送り出される。そうすると、導出溝内には、複数の球が数珠つなぎになって並ぶ。そして、先に導出溝内に送り出された球は、あとから次々と導出溝内に送り出される球に押されて移動する。そして、ガイド溝から導出溝へ球が１個送り出される毎に、球出口から球が１個押し出される。
【００５６】
第２送球装置180及び上部送球装置320も、第１送球装置120と同様に動作する。
以上説明したように、本実施の形態では、前面部30としての前枠31及び遊技盤40の下部後方に設けた第１球タンク110、第１送球装置120、第２球タンク170及び第２送球装置180等によって、入賞時等の球の払い出しが行われる。このため、前面部30としての前枠31及び遊技盤40の裏側から裏セットをなくすことができる。これにより、前面部30としての前枠31及び遊技盤40の裏面を広く有効に使うことができ、ひいては、前枠31や遊技盤40に、例えば、液晶ディスプレイやその制御基板90等を新たに搭載しやすくすることができる。もちろん、前枠31や遊技盤40に、液晶ディスプレイ及びその制御装置以外の装置等も新たに搭載しやすくなる。
【００５７】
また、本実施の形態では、投入装置としての発射装置39によってパチンコ11に投入され、遊技領域42を経由し、入賞口44又はアウト口48を通過し、遊技盤40の裏側へ誘導されて、入賞球通路51又はアウト球通路52によって下方へ誘導された球が、第１球タンク110及び第１送球装置120を経由して、第２球タンク170に貯留される。また、入賞等があると、第２球タンク170に貯留されている球が、第２送球装置180によって送り出され、第２送球通路220を通って、払出口34から受皿35に払い出され、その後再び遊技機10に投入される。このため、遊技機10内を球が循環するようになり、遊技に使用された球が島に戻されることなく再度遊技に使用されるので、島の球回収機構や球補給機構の負担を軽減できる。
【００５８】
更に、本実施の形態では、誘導通路50としての入賞球通路51及びアウト球通路52から排出された球は、まず第１球タンク110に貯留される。また、投入装置としての発射装置39が駆動してパチンコ11に球が投入されると、第１送球装置120が駆動して、第１球タンク110に貯留されている球を第１送球通路160へ送り出す。また、第１送球通路160から排出された球は、第２球タンク170に貯留される。そして、入賞判定手段としての入賞検出センサーにより入賞口44に球が入った旨が検出されると、第２送球装置180が駆動して、第２球タンク170に貯留されている球を第２送球通路220へ送り出す。第２送球通路220から排出された球は、払出口34から受皿35に払い出される。このため、誘導通路50から排出された球の落下地点である第１球タンク110内には球が滞らない。これにより、誘導通路50に球が詰まったり、あるいは第１球タンクから意図しないところへ球が溢れ出たりしないようにすることができ、ひいては球の循環が円滑に行われるようにすることができる。
【００５９】
（第２の実施の形態）
図８ないし図１０は、第２の実施の形態を示すものである。
図８は、遊技機10としてのパロット12の前面斜視図、図９は、前面部30としての前扉32を開いた状態を示す斜視図、図１０は、投入装置としてのベット装置75の断面図である。
（遊技機10・パロット12）
図８及び図９に示すように、本実施の形態に係る遊技機10は、パロット12である。
また、パロット12は、球を用いて遊技を行うスロットマシンである。
図８及び図９に示すように、本実施の形態に係る遊技機10としてのパロット12は、遊技場の島に固定される裏枠20と、裏枠20にヒンジ25を介して開閉可能に取り付けられる前扉32とを備えている。そして、前扉32が、遊技機10としてのパロット12の前面を構成している。つまり、本実施の形態では、前扉32が、遊技機10としてのパロット12の前面を構成する前面部30となっている。
【００６０】
（裏枠20）
裏枠20は、島に固定されるものであって、第１の実施の形態で示したパチンコ11の裏枠20とほぼ同様である。
（前扉32）
前扉32は、裏枠20にヒンジ25を介して開閉可能に取り付けられるものである。
また、図８及び図９に示すように、前扉32の裏側には、３個の回転リール61を横並びに設けたリールユニット60が備えられ、また、各回転リール61の周囲には、複数種類の図柄が所定の配列で付されている。
【００６１】
また、図８に示すように、前扉32の中央には、前パネル62が嵌め込まれ、また、前パネル62の中央には、各回転リール61の周囲に付されている図柄を透視可能な透視窓63が設けられている。
また、透視窓63は、各回転リール61の前方に設けられており、３個すべての回転リール61の回転が停止した際には、縦３列横３行に配列した合計９個の図柄が透視可能となる。
また、本実施の形態では、左側の回転リール61の回転が停止した際に透視窓63を通して透視可能となる３個の図柄を上から順にそれぞれ「左リール上図柄」「左リール中図柄」「左リール下図柄」とし、また、中央の回転リール61の回転が停止した際に透視窓63を通して透視可能となる３個の図柄を上から順にそれぞれ「中リール上図柄」「中リール中図柄」「中リール下図柄」とし、また、右側の回転リール61の回転が停止した際に透視窓63を通して透視可能となる３個の図柄を上から順にそれぞれ「右リール上図柄」「右リール中図柄」「右リール下図柄」としている。
【００６２】
また、本実施の形態では、第１から第５までの５本の入賞ラインを設けている。具体的には、左リール中図柄と中リール中図柄と右リール中図柄とを通るのが「第１入賞ライン」であり、また、左リール上図柄と中リール上図柄と右リール上図柄とを通るのが「第２入賞ライン」であり、また、左リール下図柄と中リール下図柄と右リール下図柄とを通るのが「第３入賞ライン」であり、また、左リール下図柄と中リール中図柄と右リール上図柄とを通るのが「第４入賞ライン」であり、また、左リール上図柄と中リール中図柄と右リール下図柄とを通るのが「第５入賞ライン」である。
また、図８に示すように、前扉32における前パネル62の下方に相当する位置には、入賞時等に球が払い出される払出口34が設けられ、また、前扉32の前面における払出口34の下方に相当する位置には、払出口34から払い出された球を受け止めて貯留するための受皿35が設けられ、また、前扉32の前面における受皿35の下方に相当する位置には、受皿35に貯留しきれない球を貯留するための下皿36が設けられている。つまり、払出口34及び受皿35は、前面部30としての前扉32の上端と下端との間の所定位置に設けられている。
【００６３】
また、払出口34は、第２送球通路220の上端から排出された球を前面部30としての前扉32の前側へ誘導するように形成されている。
また、受皿35は、前面部30としての前扉32の前面から前方へ向けて突出するように形成されている。
また、図８に示すように、受皿35の右上部には、球を賭けるためのベットスイッチ70が設けられている。
また、本実施の形態では、ベットスイッチ70として、シングルベットスイッチ70aと、マックスベットスイッチ70bとが設けられている。また、図８に示すように、シングルベットスイッチ70a及びマックスベットスイッチ70bは、上皿35の右上部に横並びに設けられている。
【００６４】
また、シングルベットスイッチ70aは、押しボタン式のスイッチを用いて構成されており、１回操作すると（ボタンを１回押すと）、１単位の球を投入する旨が入力され、また、２回操作すると（ボタンを２回連続して押すと）、２単位の球を投入する旨が入力され、また、３回操作すると（ボタンを３回連続して押すと）、３単位の球を投入する旨が入力されるようになっている。
また、マックスベットスイッチ70bも、シングルベットスイッチ70aと同様に、押しボタン式のスイッチを用いて構成されている。ただ、マックスベットスイッチ70bは、１回操作するだけで（ボタンを１回押すだけで）、最大単位（本実施の形態では３単位）の球を投入する旨が入力されるようになっている。
【００６５】
また、図８に示すように、受皿35の前面には、各回転リール61の回転を開始させるためのスタートスイッチ71や、各回転リール61の回転を停止させるためのものであり各回転リール61にそれぞれ対応して設けられている３個のストップスイッチ72などが設けられている。
また、スタートスイッチ71は、レバー式のスイッチを用いて構成されており、レバーを操作すると（押し下げると）、３個すべての回転リール61の回転が一斉に開始するようになっている。
また、各ストップスイッチ72は、それぞれ、押しボタン式のスイッチを用いて構成されており、左側のストップスイッチ72のボタンを操作すると（押すと）、左側の回転リール61の回転が停止し、また、中央のストップスイッチ72のボタンを操作すると（押すと）、中央の回転リール61の回転が停止し、また、右側のストップスイッチ72のボタンを操作すると（押すと）、右側の回転リール61の回転が停止するようになっている。
【００６６】
また、受皿35の底面は、右奥方向へ向かうに従って高さが次第に低くなるように滑らかに傾斜しており、また、受皿35の右奥には、球をパロット12内に取り込むための取込口37が設けられている。そして、受皿35に貯留されている球は、取込口37からパロット12内に取り込まれる。また、取込口37からパロット12内に取り込まれた球は、投入装置としてのベット装置75に供給される。つまり、受皿35は、払出口34から排出された球を貯留するとともに、貯留している球を投入装置としてのベット装置75に供給するためのものである。また、ベットスイッチ70が操作されると、投入装置としてのベット装置75に供給された球が投入されて、投入球通路53へ誘導される。
【００６７】
また、前扉32の前面における、受皿35の下方に相当する位置には、受皿35に貯留しきれない球を貯留するための下皿36が設けられている。
（投入装置・ベット装置75）
投入装置としてのベット装置75は、パロット12に球を投入するためのものである。
本実施の形態では、５個の球を１単位とし、１回の遊技につき最大で３単位の球を投入して遊技を行うようになっている。
また、図１０に示すように、ベット装置75は、５個の球を貯留可能な球貯留部77を、第１から第３まで３個備えるとともに、各球貯留部77へ球を供給するための供給部78と、各球貯留部77に貯留されている球が排出される排出部79とを備えている。
【００６８】
また、図１０に示すように、ベット装置75は、取込口37に入った球を一列に整列させて下方へ誘導するための整列通路76を備えている。
また、図１０に示すように、整列通路76の上端は、取込口37に連設されている。
また、整列通路76は、取込口37側の高さが高く、また、取込口37とは反対側の高さが低くなっており、取込口37側から取込口37とは反対側へ向けて高さが次第に低くなるように滑らかに傾斜している。また、整列通路76は、その内径が球の直径よりもわずかに大きい円筒状に形成されている。このようにして、整列通路76は、取込口37から取り込んだ球を一列に整列させて下方へ誘導するようにしている。
【００６９】
また、図１０に示すように、整列通路76の途中には、下流側から順に、第１から第３までの３個の球貯留部77が連続して設けられているとともに、第１の球貯留部77（77a）の下流側には、排出部79が設けられ、また、第３の球貯留部77（77c）の上流側には、供給部78が設けられている。
つまり、整列通路76の途中には、下流側から順に、排出部79、第１の球貯留部77（77a）、第２の球貯留部77（77b）、第３の球貯留部77（77c）、及び供給部78が連続して設けられている。
更に換言すれば、下流側から順に、排出部79、第１の球貯留部77（77a）、第２の球貯留部77（77b）、第３の球貯留部77（77c）、及び供給部78が連続して設けられており、これらによって、整列通路76が構成されている。
【００７０】
また、各球貯留部77の下流側の端部から上流側の端部までの長さは、それぞれ、球の直径の５倍の長さとほぼ等しい。つまり、各球貯留部77の下流側の端部から上流側の端部までの長さは、それぞれ、球５個分の長さとほぼ等しい。これにより、各球貯留部77は、それぞれ、５個の球を貯留可能とされている。
また、図１０に示すように、排出部79と第１の球貯留部77（77a）との境界、第１の球貯留部77（77a）と第２の球貯留部77（77b）との境界、第２の球貯留部77（77b）と第３の球貯留部77（77c）との境界、及び第３の球貯留部77（77c）と供給部78との境界に、下流側から順に、第１から第４までの４個のストッパー80が設けられている。
【００７１】
また、図１０に示すように、排出部79と第１の球貯留部77（77a）との境界に設けられているのが、第１のストッパー80（80a）であり、また、第１の球貯留部77（77a）と第２の球貯留部77（77b）との境界に設けられているのが、第２のストッパー80（80b）であり、また、第２の球貯留部77（77b）と第３の球貯留部77（77c）との境界に設けられているのが、第３のストッパー80（80c）であり、また、第３の球貯留部77（77c）と供給部78との境界に設けられているのが、第４のストッパー80（80d）である。
また、各ストッパー80は、それぞれ、球の通過を阻止する位置に突出し、又は球の通過を可能とする位置に退避するように形成される。
【００７２】
また、図１０に示すように、各球貯留部77の上流側の端部付近には、各球貯留部77がそれぞれｎ個の球で満たされているか否かを検出するための貯留球検出手段83が設けられている。
第１の球貯留部77（77a）の上流側の端部付近に設けた貯留球検出手段83によって、球がある旨が検出されれば、第１の球貯留部77（77a）が５個の球で満たされている旨がわかり、また、第２の球貯留部77（77b）の上流側の端部付近に設けた貯留球検出手段83によって、球がある旨が検出されれば、第１の球貯留部77（77a）に加えて、第２の球貯留部77（77b）も５個の球で満たされていることがわかり、また、第３の球貯留部77（77c）の上流側の端部付近に設けた貯留球検出手段83によって、球がある旨が検出されれば、第１の球貯留部77（77a）及び第２の球貯留部77（77b）に加えて、第３の球貯留部77（77c）も５個の球で満たされていることがわかる。
【００７３】
また、例えば、第１の球貯留部77（77a）に４個以下の球しか貯留されていない場合には、第１の球貯留部77（77a）の上流側の端部付近に設けた貯留球検出手段83は、球がある旨を検出しない。これにより、第１の球貯留部77（77a）が５個の球で満たされていない旨がわかる。
また、第１の球貯留部77（77a）には５個の球が貯留されているものの、第２の球貯留部77（77b）には４個以下の球しか貯留されていない場合には、第１の球貯留部77（77a）の上流側の端部付近に設けた貯留球検出手段83は、球がある旨を検出するものの、第２の球貯留部77（77b）の上流側の端部付近に設けた貯留球検出手段83は、球がある旨を検出しない。これにより、第１の球貯留部77（77a）は５個の球で満たされているものの、第２の球貯留部77（77b）が５個の球で満たされていない旨がわかる。
【００７４】
また、図１０に示すように、整列通路76の下端には投入球通路53が連設されている。
（誘導通路50・投入球通路53）
また、図９に示すように、投入球通路53は、前扉32の裏面下部に設けられている。また、投入球通路53は、投入装置としてのベット装置75によってパロット12に投入された球を下方へ誘導するためのものである。つまり、本実施の形態では、投入球通路53が誘導通路50となっている。
（制御基板90）
図９に示すように、前扉32の裏側には、遊技を制御するための制御基板90が設けられている。以下、本実施の形態に係るパロット12における遊技について説明する。
【００７５】
ベットスイッチ70が操作されると、投入装置としてのベット装置75によってパロット12に球が投入される。
具体的には、ベットスイッチ70の操作により１単位の球を投入する旨が入力されると、第１のストッパー80（80a）が、球の通過を可能とする位置に退避するとともに、第２のストッパー80（80b）が、球の通過を阻止する位置に突出する。これにより、第１の球貯留部77（77a）に貯留されている５個の球がパロット12に投入される。つまり、１単位の球がパロット12に投入される。
また、ベットスイッチ70の操作により２単位の球を投入する旨が入力されると、第１及び第２の２個のストッパー80（80a、80b）が、球の通過を可能とする位置に退避するとともに、第３のストッパー80（80c）が、球の通過を阻止する位置に突出する。これにより、第１及び第２の２つの球貯留部77（77a、77b）に貯留されている合計１０個の球がパロット12に投入される。つまり、２単位の球がパロット12に投入される。
【００７６】
また、ベットスイッチ70の操作により３単位の球を投入する旨が入力されると、第１から第３までの３個のストッパー80（80a、80b、80c）が、球の通過を可能とする位置に退避するとともに、第４のストッパー80（80d）が、球の通過を阻止する位置に突出する。これにより、第１から第３までの３つの球貯留部77（77a、77b、77c）に貯留されている合計１５個の球がパロット12に投入される。つまり、３単位の球がパロット12に投入される。
また、ベットスイッチ70が操作され、ベット装置75によってパロット12に球が投入されると、球の投入個数（球の投入単位）に応じた本数の入賞ラインが有効になる。
【００７７】
具体的には、球の投入個数が５個のときには（球の投入単位が１単位のときには）、第１入賞ラインのみが有効になり、また、球の投入個数が１０個のときには（球の投入単位が２単位のときには）、第１から第３までの３本の入賞ラインが有効になり、また、球の投入個数が１５個のときには（球の投入単位が３単位のときには）、第１から第５までの５本すべての入賞ラインが有効になる。また、球の投入を条件に、スタートスイッチ71を操作すると、複数の役のいずれかに当選したか又はハズレかの抽選（役抽選）が行われる。また、役抽選とほぼ同時に、３個すべての回転リール61の回転が開始する。その後に、３個のストップスイッチ72のうちの１個を操作すると、当該ストップスイッチ72に対応した回転リール61の回転が停止する。そして、３個すべてのストップスイッチ72の操作を終えると、３個すべての回転リール61の回転が停止する。このとき、いずれかの有効な入賞ライン上に同一種類の図柄が３個揃うと、当該図柄に対応した役の入賞となり、入賞態様に応じた個数の球が払い出される。
【００７８】
具体的には、例えば、「７」の図柄がいずれかの有効な入賞ライン上に３個揃うと、ビッグボーナス入賞（ＢＢ入賞）となる。そうすると、制御装置90から送球制御装置95へ、ビッグボーナス入賞を示す入賞信号であるＢＢ入賞信号が送信される。そうすると、第２送球装置180が駆動して、払出口34から「７５」個の球が払い出される。
また、例えば、「ベル」の図柄がいずれかの有効な入賞ライン上に３個揃うと、ベル入賞となる。そうすると、制御装置90から送球制御装置95へ、ベル入賞を示す入賞信号であるベル入賞信号が送信される。そうすると、第２送球装置180が駆動して、払出口34から「５０」個の球が払い出される。
【００７９】
また、制御基板90は、すべての回転リール61の回転が停止した際に、いずれかの有効な入賞ライン上に所定の図柄配列が揃ったか否かの判定を行うための図柄判定手段を備えている。図柄判定手段は、３個すべての回転リール61の回転が停止した際に、いずれかの有効な入賞ライン上に同一種類の図柄が３個揃うと、当該図柄に対応した役に入賞したと判定する。つまり、図柄判定手段は、入賞判定手段として機能するものである。
（ホッパーユニット100）
図９に示すように、裏枠20の下部には、ホッパーユニット100が設けられている。また、ホッパーユニット100は、第１球タンク110と、第１送球装置120と、第１送球通路160と、第２球タンク170と、第２送球装置180と、第２送球通路220とを備えている。また、第１球タンク110、第１送球装置120、第１送球通路160、第２球タンク170、第２送球装置180及び第２送球通路220の構造及び機能については、第１の実施の形態と同様である。
【００８０】
（払出検出機構250）
図９に示すように、第２送球通路220の上端には、払出検出機構250が設けられている。また、払出検出機構250の構造及び機能については、第１の実施の形態と同様である。
（補給ユニット300）
図９に示すように、裏枠20の上部には、補給ユニット300が設けられている。また、補給ユニット300は、上部タンク310と、上部送球装置320と、上部送球通路360とを備えている。また、上部タンク310、上部送球装置320及び上部送球通路360の構造及び機能については、第１の実施の形態と同様である。
【００８１】
（送球制御装置95）
送球制御装置95は、第１送球装置120、第２送球装置180及び上部送球装置320の動作を制御するためのものである。
図９に示すように、本実施の形態では、送球制御装置95は、前扉32の裏面の所定位置に固定されている。
また、本実施の形態では、送球制御装置95は、ＣＰＵ、ＲＡＭ、ＲＯＭ、及びＩ／Ｏなどを備えたマイクロコンピュータを用いて構成されている。
また、本実施の形態では、送球制御装置95は、第１送球制御手段、第２送球制御手段、及び上部送球制御手段などを備えている。ＣＰＵがＲＯＭに記憶された所定のプログラムを実行することにより、送球制御装置95を構成するマイクロコンピュータが、第１送球制御手段、第２送球制御手段、及び上部送球制御手段などとして機能するのである。
【００８２】
（第１送球制御手段）
第１送球制御手段は、第１送球装置120の動作を制御するためのものである。
また、第１送球制御手段は、投入装置としてのベット装置75による球の投入を契機に、第１球タンク110に貯留されている球を第１送球通路160へ送り出すように、第１送球装置120の動作を制御する。すなわち、ベットスイッチ70が操作され、投入装置としてのベット装置75が駆動してパロット12に球が投入されると、これを契機に、第１送球制御手段は、第１送球装置120を駆動させて、第１球タンク110に貯留されている球を、第１送球通路160へ送り出す。
【００８３】
また、本実施の形態では、第１送球通路160の第１送球装置120側の端部に、第１送球装置120から第１送球通路160への球の送り出しを検出するための第１送球検出センサー165が設けられている。そして、この第１送球検出センサー165が球の送り出しを検出しなくなると、第１送球制御手段が、第１送球装置120の駆動を停止させる。
（第２送球制御手段）
第２送球制御手段は、第２送球装置180の動作を制御するためのものである。
また、第２送球制御手段は、入賞判定手段による入賞した旨の判定を契機に、第２球タンク170に貯留されている球を第２送球通路220へ送り出すように、第２送球装置180の動作を制御する。具体的には、本実施の形態では、すべての回転リール61の回転が停止した際に、いずれかの有効な入賞ライン上に同一種類の図柄が３個揃うと、入賞判定手段としての図柄判定手段が、当該図柄に対応した役に入賞したと判定する。そうすると、これを契機に、第２送球制御手段は、第２送球装置180を駆動させて、第２球タンク170に貯留されている球を、第２送球通路220へ送り出す。
【００８４】
また、本実施の形態では、第２送球制御手段は、払い出すべき球の個数をカウントするための払出個数カウンタと、入賞検出センサーからの入賞検出信号に基づいて払出個数カウンタに所定数を加算するための払出個数加算手段と、払出検出センサー198からの払出検出信号に基づいて払出個数カウンタから１を減算するための払出個数減算手段と、払出個数カウンタが１以上のときには第２モータ210を回転させ払出個数カウンタが０のときには第２モータ210を停止させるモータ制御手段とを備えている。
例えば、「７」の図柄がいずれかの有効な入賞ライン上に３個揃ってビッグボーナス入賞となり、ビッグボーナス入賞を示す入賞信号であるビッグボーナス入賞信号が、制御基板90から送球制御装置95へ送信されると、払出個数加算手段は、払出個数カウンタに、「７５」を加算する。
【００８５】
また、例えば、「ベル」の図柄がいずれかの有効な入賞ライン上に３個揃ってベル入賞となり、ベル入賞を示す入賞信号であるベル入賞信号が、制御基板90から送球制御装置95へ送信されると、払出個数加算手段は、払出個数カウンタに、「５０」を加算する。
また、払出個数減算手段は、払出検出センサー198からの払出検出信号が送球制御装置95へ送信される毎に、払出個数カウンタから「１」を減算する。
また、モータ制御手段は、払出個数カウンタが１以上のときには、第２モータ210を回転させ、払出個数カウンタが０のときには、第２モータ210を停止させる。
このようにして、本実施の形態では、例えば、７５個の球の払い出しがあるビッグボーナス入賞となると、第２送球制御手段は、第２送球装置180を駆動させて、払出口34からの球の払い出しを開始するとともに、払出口34から払い出された球の個数が７５個に達したところで、第２送球装置180の駆動を停止させる。
【００８６】
（上部送球制御手段）
上部送球制御手段は、上部送球装置120の動作を制御するためのものである。上部送球制御手段については、第１の実施の形態と同様である。
（第１送球装置120、第２送球装置180及び上部送球装置320の動作）
第１送球装置120、第２送球装置180及び上部送球装置320の動作については、第１の実施の形態と同様である。
以上説明したように、本実施の形態では、前面部30としての前扉32の下部後方に設けた第１球タンク110、第１送球装置120、第２球タンク170及び第２送球装置180等によって、入賞時等の球の払い出しが行われる。このため、前面部30としての前扉32の裏側から裏セットをなくすことができる。これにより、前面部30としての前扉32の裏面を広く有効に使うことができ、ひいては、前扉32に、例えば、液晶ディスプレイやその制御基板90等を新たに搭載しやすくすることができる。もちろん、前扉32に、液晶ディスプレイ及びその制御装置以外の装置等も新たに搭載しやすくなる。
【００８７】
また、本実施の形態では、投入装置としてのベット装置75によってパロット12に投入され、投入球通路53によって下方へ誘導された球が、第１球タンク110及び第１送球装置120を経由して、第２球タンク170に貯留される。また、入賞等があると、第２球タンク170に貯留されている球が、第２送球装置180によって送り出され、第２送球通路220を通って、払出口34から受皿35に払い出され、その後再び遊技機10に投入される。このため、遊技機10内を球が循環するようになり、遊技に使用された球が島に戻されることなく再度遊技に使用されるので、島の球回収機構や球補給機構の負担を軽減できる。
更に、本実施の形態では、誘導通路50としての投入球通路53から排出された球は、まず第１球タンク110に貯留される。また、投入装置としてのベット装置75が駆動してパロット12に球が投入されると、第１送球装置120が駆動して、第１球タンク110に貯留されている球を第１送球通路160へ送り出す。また、第１送球通路160から排出された球は、第２球タンク170に貯留される。そして、３個すべての回転リール61の回転が停止した際に、いずれかの有効な入賞ライン上に同一種類の図柄が３個揃い、入賞判定手段としての図柄判定手段によって、当該図柄に対応した役に入賞したと判定されると、第２送球装置180が駆動して、第２球タンク170に貯留されている球を第２送球通路220へ送り出す。第２送球通路220から排出された球は、払出口34から受皿35に払い出される。このため、誘導通路50から排出された球の落下地点である第１球タンク110内には球が滞らない。これにより、誘導通路50に球が詰まったり、あるいは第１球タンクから意図しないところへ球が溢れ出たりしないようにすることができ、ひいては球の循環が円滑に行われるようにすることができる。
【図面の簡単な説明】
【００８８】
【図１】本発明の第１の実施の形態に係る遊技機の前面斜視図。
【図２】本発明の第１の実施の形態に係る遊技機の前面部を開いた状態を示す斜視図。
【図３】本発明の第１の実施の形態に係る遊技機のホッパーユニット及び補給ユニットの外観斜視図。
【図４】本発明の第１の実施の形態に係る遊技機のホッパーユニットの分解斜視図。
【図５】本発明の第１の実施の形態に係る遊技機の第１送球装置、第１送球通路、オーバーフロー口及び第２球タンクの説明図。
【図６】本発明の第１の実施の形態に係る遊技機の払出検出機構の側断面図。
【図７】本発明の第１の実施の形態に係る遊技機の補給ユニットの分解斜視図。
【図８】本発明の第２の実施の形態に係る遊技機の前面斜視図。
【図９】本発明の第２の実施の形態に係る遊技機の前面部を開いた状態を示す斜視図。
【図１０】本発明の第２の実施の形態に係る遊技機の投入装置を示す断面図。
【符号の説明】
【００８９】
10  遊技機                               11  パチンコ
12  パロット                             20  裏枠
25  ヒンジ                               30  前面部
31  前枠                                 32  前扉
33  窓                                   34  払出口
35  受皿                                 36  下皿
37  取込口                               38  操作ハンドル
39  発射装置                             40  遊技盤
41  ガイドレール                         42  遊技領域
43  図柄表示装置                         44  入賞口
45  一般入賞口                           46  始動入賞口
47  大入賞口                             48  アウト口
50  誘導通路                             51  入賞球通路
52  アウト球通路                         53  投入球通路
60  リールユニット                       61  回転リール
62  前パネル                             63  透視窓
70  ベットスイッチ                      70a  シングルベットスイッチ
70b  マックスベットスイッチ               71  スタートスイッチ
72  ストップスイッチ                     75  ベット装置
76  整列通路                             77  球貯留部
77a  第１の球貯留部                      77b  第２の球貯留部
77c  第３の球貯留部                       78  供給部
79  排出部                               80  ストッパー
80a  第１のストッパー                    80b  第２のストッパー
80c  第３のストッパー                    80d  第４のストッパー
83  貯留球検出手段                       90  制御基板
91  メイン基板                           92  サウンド基板
93  表示制御基板                         95  送球制御装置
100  ホッパーユニット                    110  第１球タンク
120  第１送球装置                        130  第１ベース
140  第１回転ディスク                    150  第１モータ
151  第１シャフト                        155  第１バケット
160  第１送球通路                        161  第１水平部
162  上昇部                              163  第２水平部
164  底部                                165  第１送球検出センサー
170  第２球タンク                        171  第１球量検出センサー
172  第２球量検出センサー                173  タンクカバー
174  球供給口                            175  第２モータ収納部
180  第２送球装置                        190  第２ベース
200  第２回転ディスク                    210  第２モータ
211  第２シャフト                        212  第１プーリ
213  第２プーリ                          214  伝達ベルト
215  第２バケット                        220  第２送球通路
230  オーバーフロー口                    235  回収シュート
250  払出検出機構                        251  ケース
252  球通路                              253  鉛直部
254  傾斜部                              255  アーム
256  ローラー                            257  スプリング
258  払出検出センサー                    300  補給ユニット
310  上部タンク                          311  上部球量検出センサー
312  球量検出用プレート                  320  上部送球装置
330  上部ベース                          340  上部回転ディスク
350  上部モータ                          351  上部シャフト
355  上部バケット                        360  上部送球通路
370  上下接続シュート
【図１】
0004778799.tif 000002
【図２】
0004778799.tif 000003
【図３】
0004778799.tif 000004
【図４】
0004778799.tif 000005
【図５】
0004778799.tif 000006
【図６】
0004778799.tif 000007
【図７】
0004778799.tif 000008
【図８】
0004778799.tif 000009
【図９】
0004778799.tif 000010
【図１０】
0004778799.tif 000011